【事件の表示】
　平成　３年特許願第１７２９２１号「通信装置」拒絶査定に対する審判事件［平成　５年　１月２９日出願公開、特開平　５−　２２５６５］について、次のとおり審決する。
【結　論】
　本件審判の請求は、成り立たない。
【理　由】
１．手続の経緯
　本願は、平成３年７月１５日の出願であって、平成１０年７月１４日、平成１２年１２月４日及び平成１３年５月２８日付けで手続補正がされ、平成１４年４月１２日付けで拒絶査定がされ、これに対して、平成１４年５月１６日付けで審判請求された後、平成１５年１月３０日付けで手続補正がされたものである。
　
　
２．本願発明
　本願発明は、明細書及び図面の記載からみて、上記平成１５年１月３０日付け手続補正書で手続補正された請求項１〜４に記載されたとおりのものであって、その請求項１に記載された発明は次のとおりのもの（以下、「本願発明１」という。）である。
　
「【請求項１】
　複数の固定メロディを記憶する第１記憶手段と、
　外部から任意のメロディを入力するためのメロディ入力手段と、
　前記入力手段より入力されたメロディを複数記憶する第２記憶手段と、
　入力手段により送信側識別番号と任意に選択されたメロディとを１対１に対応付けて複数記憶可能な対応テーブルと、
　受信した送信側識別情報に対応するメロディを前記記憶手段から読み出して再生する再生手段とを備え、
　メロディ登録時には、送信側識別情報の入力後、第１記憶手段または第２記憶手段に記憶されているメロディを選択させ、選択されたメロディをユーザに確認させた後、該メロディが所望のメロディであることが確認された場合にのみ、送信側識別情報と任意に選択されたメロディとを１対１に対応付けて前記対応テーブルに記憶させることを特徴とする通信装置。」
　
　
３．引用例
　これに対して、当審で引用した特開平２−２６４４０号公報（平成２年１月２９日公報発行、以下、「刊行物１」という。）には、「呼出音選択方式」の発明に関し、図面とともに、以下の各記載がある。
　
（ア）「着呼により呼出信号を受信したとき電話機が発生する呼出音を、それぞれ相違する音色の呼出音を発生する呼出音信号器の一つを予め選択して発生させる呼出音選択方式において、受信した発呼者電話番号を判別する相手番号判別部と、登録電話番号ごとに発生する信号音の一つの呼出音信号器を予め設定したものを記憶する番号対応呼出音選択信号記憶部と、着呼により呼出信号を受信したとき、前記相手番号判別部から取出した発呼者電話番号を登録電話番号とし前記番号対応呼出音選択信号記憶部から索引した呼出音信号器を選択駆動する呼出音信号選択部とを前記電話機が有することを特徴とする呼出音選択方式。」（特許請求の範囲）
　
（イ）「第１図において、電話機は相手番号判別部１、表示器２、番号対応呼出音選択信号記憶部３、ダイヤルボタン４、番号呼出対応付部５、呼出音設定ボタン６、呼出音選択ボタン７、呼出音信号選択部８、呼出音信号部９、および呼出音発生器１０を有し、また呼出音信号部９は呼出音信号器（１）９１、呼出音信号器（２）９２、〜呼出音信号器（Ｎ）９Ｎを有する。（中略）呼出音設定ボタン６の扱者操作により、受信したダイヤル符号と、呼出音信号選択部８から取出した選択中の呼出音信号器情報とを番号対応呼出音選択信号記憶部３に転送して記憶させる。呼出音選択ボタン７は呼出音信号選択部８に手動操作により呼出音信号器の一つを選択する選択情報を与える。呼出音信号部９は呼出音選択部８からの指示により呼出音信号器（１）９１〜（Ｎ）９Ｎの駆動選択をうける。呼出音発生器１０は各呼出音信号器（１）９１〜（Ｎ）９Ｎの出力を接続して駆動された信号器の信号音を受信し鳴動音を発生させる。」（第２頁下左欄７行〜下右欄１５行）
　
（ウ）「まず呼出音信号選択部８は扱者の操作による呼出音選択ボタン７の操作情報を受信（Ｓ１）するので、所定の第１の呼出音信号器（１７９）を駆動（Ｓ２）し、呼出音発生器１０から呼出音を発生させる。次に呼出音選択ボタン７の操作情報を受信（Ｓ３）したとき、呼出音選択部８は所定の次の順序の呼出音信号器（２）９２を駆動（Ｓ４）して呼出発生号器１０から信号器（２）の呼出音を発生させる。扱者は希望する呼出音が発生するまで選択ボタンの操作を繰返し、所望の呼出音の聴取でダイヤルボタンにより、発生中の信号音を指定するダイヤル番号を操作する。従って、番号呼出音対応付部５はダイヤルボタン４から操作情報を受信するので、この情報を蓄積（Ｓ５）する。次いで、現状の取消がない（Ｓ６）場合、番号呼出音対応付部は呼出音設定ボタン６の操作情報を受信（Ｓ７）したとき、手順Ｓ５で受信したダイヤル番号情報と呼出音信号選択部８が選択中の呼出音信号器選択情報とを番号対応呼出音選択信号記憶部３へ転送して記録（Ｓ８）させ、登録の手順は終了する。」（第３頁上右欄１行〜下左欄１行）
　
　上記（ア）〜（ウ）の記載によると、刊行物１には、
「それぞれ相違する音色の呼出音を発生する、呼出音信号器（１）９１、呼出音信号器（２）９２、〜呼出音信号器（Ｎ）９Ｎを有する呼出音信号部９と、
　呼出音設定ボタン６および呼出音選択ボタン７の扱者操作により、登録電話番号ごとに呼出音信号器を記憶する番号対応呼出音選択信号記憶部と、
　受信した発呼者電話番号を判別し、取出した発呼者電話番号を登録電話番号として番号対応呼出音選択信号記憶部から索引した呼出音信号器を選択駆動し、駆動された信号器の信号音を受信して鳴動音を発生する呼出音発生器１０とを電話機が備え、
　扱者の操作により、順次、呼出音発生器１０から各呼出音信号器（１）９１〜（Ｎ）９Ｎの呼出音を発生し、扱者の希望する呼出音の発生によりダイヤル番号が操作されることにより、番号呼出音対応付部５はダイヤルボタン４から操作情報を受信・蓄積し、ダイヤル番号情報と呼出音信号選択部８が選択中の呼出音信号器選択情報とを番号対応呼出音選択信号記憶部３へ転送して記録する呼出音選択方式」の発明（以下「刊行物１記載の発明」という。）が記載されている。
　
　また、当審で引用した特開平２−１２６２８９号公報（平成２年５月１５日公報発行、以下、「刊行物２」という。）には、図面とともに、以下の各記載がある。
　
（エ）「そして、キーボード入力によって作曲制御手段から、楽音の周波数を制御する周波数制御信号、楽音の持続時間を制御する時間制御信号、または、楽音のレベルを制御するレベル制御信号が得られるので、任意の楽音信号を形成することができ、所望の楽音を組み合わせて任意のメロディを作曲することができ、そのメロディを記憶手段に書き込み、それを読み出すことによって、作曲されたメロディを再生し、保留音や呼出音などとして用いることができる。」（第２頁下右欄１４行〜第２頁上左欄３行）
　
（オ）「作曲制御入力がキーボード３６およびスイッチ（ＳＷ）３８、４０から加えられ、各制御入力に応じて楽音の周波数を制御する周波数制御信号ＦＣ、楽音の持続時間を制御する時間制御信号ＴＣ、または、楽音のレベルを制御するレベル制御信号ＶＣが得られる。」（第３頁上左欄１６行〜上右欄１行）
　
（カ）「この楽音信号ＭＡを特定する楽音信号データである周波数データ、時間データおよびレベルデータは、記憶手段である随時書込み可能なメモリ（ＲＡＭ）６０に記憶される。ＲＡＭ６０には、楽音信号ＭＡを楽音信号データとして記憶することも可能である。
　そして、ＲＡＭ６０に記憶された楽音信号データは、（中略）ＤＩＶ４８、ＲＯＭ５０、ＤＡＣ５２、ＧＡＴＥ５６およびＶＯＬ５８を通じて楽音信号ＭＡが得られる。この楽音信号ＭＡは、低域通過フィルタ（ＬＰＦ）６２を経て不要高周波成分が除去された後、バッファ増幅器６４を介してスピーチネットワーク４に保留音出力として加えられ、スピーカ４４から音響出力として再生される。」（第４頁上左欄２０行〜上右欄１６行）
　
（キ）「そして、電話機では、保留音だけでなく、呼出音の作曲にも利用でき、所望のメロディを呼出音に設定することができる。」（第５頁上右欄１０行〜１２行）
　
　上記（エ）〜（キ）の記載によると、刊行物２には、
「電話機に、
　作曲制御入力を入力するキーボード３６およびスイッチ（ＳＷ）３８、４０と、
　キーボード３６およびスイッチ（ＳＷ）３８、４０から加えられた作曲制御入力から得られる楽音信号データを記憶するＲＡＭ６０と、
　ＲＡＭ６０に記憶された楽音信号データから音響出力として再生する、ＤＩＶ４８、ＲＯＭ５０、ＤＡＣ５２、ＧＡＴＥ５６、ＶＯＬ５８、低域通過フィルタ（ＬＰＦ）６２、バッファ増幅器６４およびスピーカ４４を設けることにより、
　所望の楽音を組み合わせて任意のメロディを作曲して作曲されたメロディを再生し、呼出音として用いることができるようにする」事項（以下「刊行物２記載の事項」という。）が記載されている。
　
　
４．対比・判断
　本願発明１と刊行物１記載の発明とを対比すると、
　
（ａ）刊行物１記載の発明は、それぞれ相違する音色の呼出音を発生する、呼出音信号器（１）９１、呼出音信号器（２）９２、〜呼出音信号器（Ｎ）９Ｎを有する呼出音信号部９を備えており、該呼出音信号部９は複数の固定呼出音を発生する発生源としての機能を奏していることは明らかである。
　そして、本願発明１が備える「第１記憶手段」も再生手段が再生する固定メロディの発生源としての機能を奏していることは明らかであるとともに、該メロディは呼出音として使用されるものある。
　このため、その構成は相違するが、複数の固定呼出音を発生する発生源を備えている点で、刊行物１記載の発明は本願発明１と相違しない。
　
（ｂ）刊行物１記載の発明は、呼出音設定ボタン６および呼出音選択ボタン７の扱者操作により、登録電話番号ごとに呼出音信号器を記憶する番号対応呼出音選択信号記憶部を備えており、呼出音信号器を記憶することは実質的に該呼出音信号器が発生する呼出音を記憶することに他ならず、番号対応呼出音選択信号記憶部は登録電話番号と呼出音信号器、すなわち、電話番号と呼出音とが対応付けられて記憶可能な手段であり、電話番号はその電話番号の割り当てられている通信相手を識別することが可能な番号であることは明らかである。
　そして、本願発明１の送信側識別番号はその識別番号の割り当てられた通信相手を識別することが可能な番号であり、メロディは呼出音として使用されるから、本願発明１が備える「対応テーブル」も入力手段により通信相手を識別することが可能な番号と任意に選択された呼出音とを対応付けて記憶可能な手段であることは明らかである。
　このため、その構成は相違するが、入力手段により通信相手を識別することが可能な番号と任意に選択された呼出音とを対応付けて記憶可能な手段を備えている点で、刊行物１記載の発明は本願発明１と相違しない。
　
（ｃ）刊行物１記載の発明は、受信した発呼者電話番号を判別し、取出した発呼者電話番号を登録電話番号として番号対応呼出音選択信号記憶部から索引した呼出音信号器を選択駆動し、駆動された信号器の信号音を受信して鳴動音を発生する呼出音発生器１０を備えており、該呼出音発生器１０は駆動された信号器の信号音を再生する作用を奏していることは明らかである。
　そして、本願発明１が備える「再生手段」は、「受信した送信側識別情報に対応するメロディを前記記憶手段から読み出して再生する」を作用を奏する手段であるから、「受信した送信側識別情報に対応するメロディを前記記憶手段から読み出して」点を除き、受信した送信側の通信相手を識別することが可能な番号に対応する呼出音を「再生する再生手段とを備え」ている点で、刊行物１記載の発明は本願発明１と相違しない。
　
（ｄ）刊行物１記載の発明は、扱者の操作により、順次、呼出音発生器１０から各呼出音信号器（１）９１〜（Ｎ）９Ｎの呼出音を発生し、扱者の希望する呼出音の発生によりダイヤル番号が操作されることにより、番号呼出音対応付部５はダイヤルボタン４から操作情報を受信・蓄積し、ダイヤル番号情報と呼出音信号選択部８が選択中の呼出音信号器選択情報とを番号対応呼出音選択信号記憶部３へ転送して記録しており、番号対応呼出音選択信号記憶部３は入力手段により通信相手を識別することが可能な番号と任意に選択された呼出音とを対応付けて記憶可能な手段であり、ダイヤル番号情報は電話番号、すなわち、通信相手を識別することが可能な番号を表す情報であり、呼出音信号器選択情報は任意に選択された呼出音を表す情報であるから、刊行物１記載の発明は、通信相手を識別することが可能な番号と任意に選択された呼出音とを、扱者の操作により、対応付けて記憶していることは明らかである。
　そして、本願発明１は、「メロディ登録時には、送信側識別情報の入力後、第１記憶手段または第２記憶手段に記憶されているメロディを選択させ、選択されたメロディをユーザに確認させた後、該メロディが所望のメロディであることが確認された場合にのみ、送信側識別情報と任意に選択されたメロディとを１対１に対応付けて前記対応テーブルに記憶させ」ており、メロディは呼出音として使用され、対応テーブルは入力手段により通信相手を識別することが可能な番号と任意に選択された呼出音とを対応付けて記憶可能な手段である。
　このため、通信相手を識別することが可能な番号と任意に選択された呼出音とを、扱者の操作により、対応付けて記憶する点で、刊行物１記載の発明は本願発明１と相違しない。
　
（ｅ）刊行物１記載の発明の呼出音選択方式は電話機におけるものであって、電話機は通信装置の一種であるから、「通信装置」である点で、刊行物１記載の発明は本願発明１とは相違しない。
　
　　したがって、本願発明１と刊行物１記載の発明とは、
「複数の固定呼出音を発生する発生源と、
　入力手段により通信相手を識別することが可能な番号と任意に選択された呼出音とを対応付けて記憶可能な手段と、
　受信した送信側の通信相手を識別することが可能な番号に対応する呼出音を再生する再生手段とを備え、
　通信相手を識別することが可能な番号と任意に選択された呼出音とを、扱者の操作により、対応付けて記憶する通信装置」である点で一致し、次の点で相違する。
　
（相違点１）
　本願発明１記載の発明は、複数の固定呼出音を発生する発生源が、「複数の固定メロディを記憶する第１記憶手段」であるとともに、「外部から任意のメロディを入力するためのメロディ入力手段」及び「前記入力手段より入力されたメロディを複数記憶する第２記憶手段」を備えているのに対して、刊行物１記載の発明は、複数の固定呼出音を発生する発生源が、それぞれ相違する音色の呼出音を発生する、呼出音信号器（１）９１、呼出音信号器（２）９２、〜呼出音信号器（Ｎ）９Ｎを有する呼出音信号部９であるとともに、「メロディ入力手段」及び「第２記憶手段」に相当する構成を備えていない点。
　
（相違点２）
　本願発明１記載の発明は、入力手段により通信相手を識別することが可能な番号と任意に選択された呼出音とを対応付けて記憶可能な手段が、「入力手段により送信側識別番号と任意に選択されたメロディとを１対１に対応付けて複数記憶可能な対応テーブル」であるのに対して、刊行物１記載の発明は、呼出音設定ボタン６および呼出音選択ボタン７の扱者操作により、登録電話番号ごとに呼出音信号器を記憶する番号対応呼出音選択信号記憶部である点。
　
（相違点３）
　本願発明１記載の発明は、受信した送信側の通信相手を識別することが可能な番号に対応する呼出音を再生する再生手段が、「受信した送信側識別情報に対応するメロディを前記記憶手段から読み出して再生する再生手段」であるのに対して、刊行物１記載の発明は、受信した発呼者電話番号を判別し、取出した発呼者電話番号を登録電話番号として番号対応呼出音選択信号記憶部から索引した呼出音信号器を選択駆動し、駆動された信号器の信号音を受信して鳴動音を発生する呼出音発生器１０である点。
　
（相違点４）
　本願発明１記載の発明は、通信相手を識別することが可能な番号と任意に選択された呼出音とを、扱者の操作により、対応付けて記憶する事項が、「メロディ登録時には、送信側識別情報の入力後、第１記憶手段または第２記憶手段に記憶されているメロディを選択させ、選択されたメロディをユーザに確認させた後、該メロディが所望のメロディであることが確認された場合にのみ、送信側識別情報と任意に選択されたメロディとを１対１に対応付けて前記対応テーブルに記憶させる」のに対して、刊行物１記載の発明は、扱者の操作により、順次、呼出音発生器１０から各呼出音信号器（１）９１〜（Ｎ）９Ｎの呼出音を発生し、扱者の希望する呼出音の発生によりダイヤル番号が操作されることにより、番号呼出音対応付部５はダイヤルボタン４から操作情報を受信・蓄積し、ダイヤル番号情報と呼出音信号選択部８が選択中の呼出音信号器選択情報とを番号対応呼出音選択信号記憶部３へ転送して記録する点。
　
　そこで、上記相違点について、以下で検討する。
　
　相違点１に関しては、複数の呼出音を発生する発生源として、発生する複数の呼出音の情報を記憶する記憶手段は周知・慣用な手段であるとともに、呼出音としてメロディを用いることも周知・慣用な事項である。
　そして、所望の楽音を組み合わせて任意のメロディを作曲して作曲されたメロディを再生し、呼出音として用いることができるようにするために、電話機に、作曲制御入力を入力するキーボード３６およびスイッチ（ＳＷ）３８、４０と、キーボード３６およびスイッチ（ＳＷ）３８、４０から加えられた作曲制御入力から得られる楽音信号データを記憶するＲＡＭ６０と、ＲＡＭ６０に記憶された楽音信号データから音響出力として再生する、ＤＩＶ４８、ＲＯＭ５０、ＤＡＣ５２、ＧＡＴＥ５６、ＶＯＬ５８、低域通過フィルタ（ＬＰＦ）６２、バッファ増幅器６４およびスピーカ４４を設けることにより、所望の楽音を組み合わせて任意のメロディを作曲して作曲されたメロディを再生し、呼出音として用いることができるようにすることは刊行物２に記載されている。
　刊行物２では、ＲＡＭ６０に記憶されるメロディが１つであるのか複数であるのかが明確となっていないものの、メロディを複数記憶できるように構成することは常套的に行われている事項にすぎない。
　また、刊行物２記載の事項のごとき、呼出音としてのメロディを扱者が作曲して記憶できるようにしたものにおいて、初期設定として呼出音に設定される固定メロディを記憶しておく構成としておかなければ、扱者がメロディを作曲しないうちは呼出音が再生されず、電話機としての機能を奏し得ないことから、扱者がメロディを作曲し記憶する構成と別に、初期設定として呼出音に設定される固定メロディを記憶しておく構成を設けることは、当業者にとって周知・慣用な事項であるから、刊行物２記載の事項のごとき、所望の楽音を組み合わせて任意のメロディを作曲して作曲されたメロディを再生し、呼出音として用いることができるようにしようとする際には、そのための構成を固定呼出音のための構成に付加することは、当業者が必然的に行う事項である。
　このため、刊行物１記載の発明において、該発明が有する複数の呼出音を発生する発生源を複数の固定メロディを記憶する第１記憶手段で構成するとともに、外部から任意のメロディを入力するためのメロディ入力手段、及び、入力手段より入力されたメロディを複数記憶する第２記憶手段を備えるように構成することは、当業者であれば容易になし得る事項である。
　
　相違点２に関しては、２種類の情報を対応付けて記憶手段に記憶する構成としては、それらの情報を１対１に対応付けて複数記憶可能な対応テーブルに記憶する構成は周知・慣用な事項である。
　そして、通信に際して発信側から着信側へ伝送されるとともに、通信相手を識別することが可能な番号として、電話番号と同様に識別番号は周知な番号である。
　このため、刊行物１記載の発明における、入力手段により通信相手を識別することが可能な番号と任意に選択された呼出音とを対応付けて記憶可能な手段を、入力手段により送信側識別番号と任意に選択されたメロディとを１対１に対応付けて複数記憶可能な対応テーブルとすることは、当業者であれば格別の困難性を要することなくなし得る事項である。
　
　相違点３に関しては、再生手段において、その再生する情報の発生源が記憶手段であるならば、発生源である記憶手段から再生する情報を読み出して再生する構成となることは明らかであり、通信相手を識別することが可能な番号として、電話番号と同様に識別番号は周知な番号である。
　このため、刊行物１記載の発明における、受信した送信側の通信相手を識別することが可能な番号に対応する呼出音を再生する再生手段を、受信した送信側識別情報に対応するメロディを前記記憶手段から読み出して再生する再生手段とすることは、当業者であれば格別の困難性を要することなくなし得る事項である。
　
　相違点４に関しては、扱者の操作により、選択する呼出音と入力する電話番号とを対応付けて記憶する手順は、呼出音を先に選択した上で該呼出音に対応付ける電話番号を入力する手順と、電話番号を入力した上で該電話番号に対応する呼出音を選択する手順とが、当業者が常識的に考える手順であって、該手順の内のいずれを選択するかは、当業者が必要に応じて適宜選択し得る事項である。
　そして、相違点１〜３について検討したごとく、呼出音を「メロディ」、電話番号を「送信側識別番号」、呼出音信号器を「第１記憶手段」、及び、番号対応呼出音選択信号記憶部を「対応テーブル」とするとともに、「第２記憶手段」を設けた刊行物１記載の発明において、扱者の操作により、電話番号を入力した上で該電話番号に対応する呼出音を選択するとすれば、メロディ登録時には、送信側識別情報の入力後、第１記憶手段または第２記憶手段に記憶されているメロディを選択させ、選択されたメロディをユーザに確認させた後、該メロディが所望のメロディであることが確認された場合にのみ、送信側識別情報と任意に選択されたメロディとを１対１に対応付けて前記対応テーブルに記憶させることになることは明らかである。
　このため、刊行物１記載の発明において、通信相手を識別することが可能な番号と任意に選択された呼出音とを、扱者の操作により、対応付けて記憶する事項を、メロディ登録時には、送信側識別情報の入力後、第１記憶手段または第２記憶手段に記憶されているメロディを選択させ、選択されたメロディをユーザに確認させた後、該メロディが所望のメロディであることが確認された場合にのみ、送信側識別情報と任意に選択されたメロディとを１対１に対応付けて前記対応テーブルに記憶させることにすることは、当業者であれば格別の困難性を要することなくなし得る事項である。
　
　
５．むすび
　したがって、本願発明１は、刊行物１記載の発明、刊行物２記載の事項、及び、周知・慣用な事項に基づいて、当業者が容易に発明をすることができたものであり、特許法第２９条第２項の規定により特許を受けることができない。
　
　よって、結論のとおり審決する。